(57)【要約】【課題】  メンテナンスが簡略化され、設置部位の自由度も高くなる静電霧化装置を提供する。【解決手段】  水溜め部１と、水溜め部１の水Ｗを静電霧化させる霧化手段２と、を備えた静電霧化装置において、エアコン装置３からの排水を導入する給水管４を水溜め部１に接続した。この場合、水溜め部１から水Ｗを搬出して送水する搬送部５を設け、この搬送部５の先端の霧化部５ａから同水Ｗが静電霧化されて噴霧されるようになしており、余剰水を排出するオーバーフロー管９を水溜め部１に接続してもいる。【選択図】図１
2007029812.tif 000002
【特許請求の範囲】
【請求項１】
水溜め部と、水溜め部の水を静電霧化させる霧化手段と、を備えた静電霧化装置であって、エアコン装置からの排水を導入する給水管を水溜め部に接続してなる静電霧化装置。
【請求項２】
水溜め部から水を搬出して送水する搬送部と、搬送部にその搬送方向で対向配置される対向電極と、水溜め部から搬送部の対向電極側先端に至る経路中の水に電圧を印加する印加電極と、印加電極と対向電極との間に高電圧を印加する電圧印加部と、で霧化手段を形成し、搬送部の対向電極側先端から噴霧されるようになしたことを特徴とする請求項１記載の静電霧化装置。
【請求項３】
水を流通させる多数の細径孔を有する多孔質材で搬送部を形成したことを特徴とする請求項２記載の静電霧化装置。
【請求項４】
余剰水を排出するオーバーフロー管を水溜め部に接続したことを特徴とする請求項１〜３のいずれか一つに記載の静電霧化装置。
【発明の詳細な説明】
【技術分野】
【０００１】
本願発明は、水を静電霧化させて噴霧することにより空気を浄化する、例えば、車載用の空気清浄機として用いられる静電霧化装置に関するものである。
【背景技術】
【０００２】
従来から、図４に示す如く、水溜め部１と、水溜め部１の水Ｗを静電霧化させる霧化手段２と、を備えた静電霧化装置は知られている（特許文献１：特許第３２６０１５０号公報）。ここでは、霧化手段２が、水溜め部１から水Ｗを搬出して送水する搬送部５と、水溜め部１の水Ｗに高電圧を付与する高電圧発生器１３と、を有している。この場合、搬送部５は毛細管で形成され、水溜め部１の水Ｗを毛細管現象によりその上端の霧化部５ａにまで搬送する。そして、高電圧発生器１３で生成された高電圧が端子１４、接点１５を介して水溜め部１の水Ｗに付与されており、この水Ｗは前記搬送部５の霧化部５ａから霧化され噴霧されることになる。
【０００３】
この静電霧化装置においては、水Ｗが毛細管現象により単独で搬送部５の上端の霧化部５ａにまで至り、この霧化部５ａで水Ｗに付与される高電圧によって噴霧される。噴霧される粒子は荷電されており、これによって霧化部５ａから接地電位である回りの品物や構造物に向かって引き去られる。例えば、この静電霧化装置が部屋の中に空気清浄機として設置されると、噴霧された粒子は床、壁、天井等に引き寄せられ、その際に部屋内に浮遊する埃や粉塵等が吸着除去されて部屋内の空気は浄化される。この場合、水Ｗに換えて液状の芳香剤を噴霧することもでき、消臭機能を期待することもできるとされている。
【特許文献１】特許第３２６０１５０号公報
【発明の開示】
【発明が解決しようとする課題】
【０００４】
しかしながら、上記特許文献１に開示された従来例となる静電霧化装置においては、水溜め部１内に水Ｗを溜め置く必要があって、同水溜め部１には適宜に水Ｗを供給しなければならず、この供給作業が面倒で手間を要するものとなる。例えば、車載用の空気清浄機として用いられる場合には、メンテナンス（水Ｗを補給）できる部位に搭載する必要があってその搭載位置に制約を受け、同メンテナンスを定期的に行うことも必要になるという問題を生じるものである。
【０００５】
本願発明は、上記背景技術に鑑みて発明されたもので、その課題は、メンテナンスが簡略化され、設置部位の自由度も高くなる静電霧化装置を提供することである。
【課題を解決するための手段】
【０００６】
上記課題を解決するために、本願発明の静電霧化装置は、水溜め部と、水溜め部の水を静電霧化させる霧化手段と、を備えた静電霧化装置であって、エアコン装置からの排水を導入する給水管を水溜め部に接続してなるものである。
【発明の効果】
【０００７】
本願発明の静電霧化装置においては、エアコン装置からの排水を導入する給水管を水溜め部に接続しているので、エアコン装置からの排水が有効に活用されて外部から別途に水を供給する必要はなくなり、定期的な水補給作業も不要となってメンテナンスが簡略化される。そのため、車載用の空気清浄機として用いられる場合等に、メンテナンス（水を補給）できる部位に搭載する必要がなくてその搭載位置に制約を受けることはなく、設置部位の自由度が高くなる。
【発明を実施するための最良の形態】
【０００８】
図１〜３は、本願の請求項１〜４全てに対応した一実施形態である静電霧化装置を示している。この実施形態の静電霧化装置は、図１に示す如く、水溜め部１と、水溜め部１の水Ｗを静電霧化させる霧化手段２と、を備えている。そして、この場合において、エアコン装置３からの排水を導入する給水管４を水溜め部１に接続したものである。
【０００９】
又、この実施形態の静電霧化装置では、図２、３に示す如く、水溜め部１から水Ｗを搬出して送水する搬送部５と、搬送部５にその搬送方向で対向配置される対向電極６と、水溜め部１から搬送部５の対向電極６側先端に至る経路中の水Ｗに電圧を印加する印加電極７と、印加電極７と対向電極６との間に高電圧を印加する電圧印加部８と、で霧化手段２が形成されており、搬送部５の対向電極６側先端の霧化部５ａから噴霧されるようになっている。この場合に、水Ｗを流通させる多数の細径孔を有する多孔質材で搬送部５が形成されている。又、図１に示す如く、余剰水を排出するオーバーフロー管９を水溜め部１に接続している。
【００１０】
以下、この実施形態の静電霧化装置を、より具体的詳細に説明する。この実施形態の静電霧化装置は、車載用の空気清浄機として用いられるもので、図１に示す如く、自動車に設置されるエアコン装置（カーエアコン）３と給水管４を介して接続され、同自動車内に設置される。この空気清浄機となる静電霧化装置は、エアコン装置３に近接して設置されても、エアコン装置３とは離れて設置されても、エアコン装置３と一体化されて設置されてもよいものであるが、その搭載位置には制約がなく、自動車内のどこの部位にも設置することができるものである。
【００１１】
エアコン装置３を運転することにより発生する排水が給水管４を通じて水溜め部１に供給され、水溜め部１には常に適量の水Ｗが溜め置かれる。その際、水溜め部１に供給された余剰の水Ｗは、オーバーフロー管９を通じて車外に排出除去される。そして、静電霧化装置が作動されると、水溜め部１の水Ｗは搬送部５を通じて搬出送水され、搬送部５の先端の霧化部５ａで霧化されて噴霧される。なお、エアコン装置３の運転に同調して静電霧化装置が作動されるようになしてもよいが、静電霧化装置を単独で操作作動されるようになしてもよい。
【００１２】
又、この実施形態の静電霧化装置は、図２、図３に示す如く、水溜め部１と、下端が水溜め部１内に溜められた水Ｗに浸される複数本の多孔質材からなる棒状の搬送部５と、これ等搬送部５の保持及び水Ｗに対する電圧印加のための印加電極７と、絶縁体からなる保持部１０によって保持されると共に前記複数本の棒状をした搬送部５の上端の霧化部５ａと対向する対向部を備える対向電極６と、前記印加電極７と対向電極６との間に高電圧を印加する電圧印加部８と、からなっており、対向電極６と印加電極７は共にカーボンのような導電材を混入した合成樹脂或いはＳＵＳのような金属で形成されている。
【００１３】
搬送部５は多孔質セラミック、多孔質金属等の多孔質材で棒状に形成されており、ここで、多孔質セラミックの場合、例えば、粒子径が２〜５００μｍ、毛細管は１〜２５０μｍが好ましい。棒状の搬送部５の上端は針状に尖った針状の霧化部５ａとなっており、この棒状の搬送部５は、複数本（図では６本）が印加電極７に取付けられている。これ等複数本の棒状の搬送部５は印加電極７の中央部１１を中心とする同心円上に等間隔で配置されていて、各搬送部５の上部が印加電極７よりも上方に突出し、下部は印加電極７から下方に突出して前記水溜め部１内に溜められた水Ｗと接触するようになっている。
【００１４】
対向電極６はその中央に開口部１２を有すると共に、この開口部１２の口縁は上方から見た場合に前記複数本の搬送部５の各霧化部５ａを中心とする同一径の複数の円弧Ｒを滑らかにつないだ形状となっている。対向電極６を接地し、印加電極７に電圧印加部８を接続して高電圧を印加すると共に、多孔質材で形成されている搬送部５が毛細管現象により水溜め部１に入れてある水Ｗを吸い上げている時、搬送部５上端の針状の霧化部５ａが印加電極７側の実質的な電極として機能し、対向電極６の前記円弧Ｒが実質的な電極として機能している。電圧印加部８としては、５００Ｖ／ｍｍ以上、例えば、７００〜１２００Ｖ／ｍｍの電解強度を与え得るものが好ましい。
【００１５】
そして、電圧印可部８により搬送部５と対向電極６との間に高電圧を印加することによって、高電圧により搬送部５先端の霧化部５ａで水Ｗが帯電し霧化してナノサイズのミストを発生するものである。このようにして発生したナノサイズのミストは活性種を含有していて、この活性種を含有するナノサイズのミストは、例えば、車内空間に送出すると活性種を含有するナノサイズのミストにより車内空気の脱臭及び車内壁面等に付着した臭いを除去することができるものである。
【００１６】
したがって、この実施形態の静電霧化装置においては、エアコン装置３からの排水を導入する給水管４を水溜め部１に接続しているので、エアコン装置３からの排水が有効に活用されて、水溜め部１には自動的に給水され、車外部から別途に水を供給する必要がなくなり、定期的な水補給作業は不要となってメンテナンスが簡略化される。そのため、車載用の空気清浄機として用いられるが、メンテナンス（水を補給）できる部位に搭載する必要はなくてその搭載位置に制約を受けることがなく、設置部位に関しての設計の自由度は向上される。
【００１７】
又、水溜め部１から水Ｗを搬出して送水する搬送部５と、搬送部５にその搬送方向で対向配置される対向電極６と、水溜め部１から搬送部５の対向電極６側先端に至る経路中の水Ｗに電圧を印加する印加電極７と、印加電極７と対向電極６との間に高電圧を印加する電圧印加部８と、で霧化手段２がコンパクトに納まるように形成されている。又、これにより、搬送部５の対向電極６側先端の霧化部５ａから噴霧されるようになっていて、この場合に、水Ｗを流通させる多数の細径孔を有する多孔質材で搬送部５が形成されていることにより、水Ｗは毛細管現象によって確実に霧化部５ａへと搬送され、この霧化部５ａから安定して均一に噴霧される。
【００１８】
又、この実施形態の静電霧化装置においては、余剰水を排出するオーバーフロー管９が水溜め部１に接続されているため、エアコン装置３を支障なく継続させて運転することができる。しかも、その際、水溜め部１から充満した水Ｗの不用意な溢水はなく、水位規制が図られて水溜め部１内には常に一定量の水Ｗが溜め置かれるため、噴霧量にムラを生じることはなく安定的で確実な噴霧が行われる。
【００１９】
なお、本願発明の静電霧化装置は、車載用の空気清浄機として用いられるもの以外、例えば、建物部屋内に設置される消臭機能を備えた空気清浄機や加湿器等として用いられるものであってもよい。又、霧化手段としては、図４に示した、従来例である静電霧化装置の霧化手段２を採用することも可能である。又、本願発明でいうエアコン装置は、運転時に排水作用が伴われるものであり、この種のエアコン装置であればその機能は特に限定されるものでない。
【図面の簡単な説明】
【００２０】
【図１】本願発明の一実施形態である静電霧化装置を示す全体構成図。
【図２】同静電霧化装置を示す分解斜視図。
【図３】同静電霧化装置を示す概略構成図。
【図４】従来例である静電霧化装置を断面構成図。
【符号の説明】
【００２１】
１  水溜め部
２  霧化手段
３  エアコン装置
４  給水管
５  搬送部
５ａ  霧化部
６  対向電極
７  印加電極
８  電圧印加部
９  オーバーフロー管
Ｗ  水
【図１】
2007029812.tif 000003
【図２】
2007029812.tif 000004
【図３】
2007029812.tif 000005
【図４】
2007029812.tif 000006